(57)【特許請求の範囲】
【請求項１】
ボトル体の口部に着脱できるように装着される栓体を有し、この栓体は、ボトル体の口部外側に着脱できるように装着される外栓部と、この外栓部の内側に直飲みできる飲み口を有して着脱できるように組み合わされ、ボトル体内には飲み口まわりのお手入れ用開放部を持った断熱空間形成部で臨んで通じ、かつ飲み口が外栓部上に突出する中栓部と、これら外栓部、中栓部、およびボトル本体の相互境界部にそれらいずれからも着脱できるように組み合わされて相互をシールし、少なくともこのシール状態で中栓部の前記お手入れ用開放部をシールするシール部材と、を備えたことを特徴とするボトル栓。
【請求項２】
断熱空間形成部は、飲み口周りの軸線方向に形成されて外周間をお手入れ用開放部とした二重壁が形成している請求項１に記載のボトル栓。
【請求項３】
シール部材は、断熱空間形成部のお手入れ用開放部に着脱できるように装着されてそのお手入れ開放部をシールしている請求項１、２のいずれか１項に記載のボトル栓。
【請求項４】
中栓部は、シール部材を介してボトル体の口部に上方から着座し、外栓部は、ボトル本体への装着によってシール部材を介し中栓部を前記着座状態に押圧する請求項３に記載のボトル栓。
【請求項５】
断熱空間形成部は、飲み口と、シール部材による外栓部、中栓部、ボトル体の相互、およびお手入れ用開放部のシール域との間に、外栓部外からボトル体内への吸気路を有し、シール部材は、その吸気路の少なくとも外部開口部を有し、外栓部に設けた飲み口に対する開閉蓋が閉じられたときに、開閉蓋の一部によって閉じられるようにしている請求項１〜４のいずれか１項に記載のボトル栓。
【請求項６】
ボトル体の口部に請求項１〜５のいずれかに記載のボトル栓を装着してボトル本体をなし、ボトル栓にその前部寄りとした飲み口に対し後部寄りとなるヒンジ連結部にて開閉蓋を片開きできるように支持し、開閉蓋は閉じ状態にて飲み口をシール部材で閉じるようにしたことを特徴とする片開きボトル。
【発明の詳細な説明】
【技術分野】
【０００１】
本発明は、ボトル体の口部に装着されて内容液を直飲みできるようにするボトル栓と、これを用いた片開きボトルに関するものである。
【背景技術】
【０００２】
このようなボトル栓や片開きボトルは既に知られており（例えば、特許文献１参照。）、ボトル体にボトル栓を装着したボトル本体と、ボトル栓にヒンジ連結した片開き蓋とを持ち、ボトル本体を片手持ちして片開き蓋を開くとそのまま飲み口から直飲みできようになっている。飲み口は直飲みしやすいように、特許文献１に開示されているようなボトル栓上端の前部寄りに細く立ち上がるように設けられるのが一般的であり、多くは前傾している。
【０００３】
特に、特許文献１に記載のボトル栓は、真空二重容器の口部内に装着する栓本体と、真空二重容器の肩部に装着した肩部材に装着する栓カバーとの二重構造上の断熱効果から、真空二重容器で飲料などを保令しても栓カバー外面に結露することはない。また、しかし、二重構造部がなすデッドスペースが大きく、保冷時ではその内側に結露水が溜まってカビの発生などを見ることがあるので、お手入れの必要がある。このため、栓本体と栓カバーとを分離できるようにしており、結露水が溜まっても分解してお手入れできるようにしている。
【特許文献１】特開２００６−１６０２７８号公報
【発明の開示】
【発明が解決しようとする課題】
【０００４】
しかし、特許文献１に記載のような細く立ち上がる飲み口は、吸い飲みできるにもかかわらず、吸い飲みするとボトル体内への吸気ができないために内容液の注出がスムーズでない。スムーズな連続注出状態を得るには、飲み口の後部側に吸気隙間を残すように飲み口に口を付ける必要がある。このため、飲みにくく慣れが必要になる不便がある。また、急いだり、歩行など動きながらの直飲みの場合細く立ち上がる飲み口一杯に内容液を注出してしまって溢れ出たり、吸気ができなくなったりすることもある。
【０００５】
そこで、本出願人は、ボトル体の上端に装着される栓体を有し、この栓体にボトル体内に通じる基部通路と、この基部通路に注出口を介して通じた直飲みできる飲み口とを、注出口の面積に対し基部通路および飲み口の両面積を大きくして設けた改良構造を先に出願している（特願２００７−７９５６９号）。これにより、ボトル体から流出してくる内容液を大きな面積の基部通路から面積が小さい注出口を通じこの注出口よりも面積の大きな飲み口に注出させるが、一旦面積の大きな基部通路に内容液を受け入れて面積の小さな注出口へスムーズに案内できる。また、注出口からはそれよりも面積が大きい飲み口に注出されて受けられ、飲み口に受けた注出内容液はその面積が大きいことを利用した周方向一部への口付け状態にて、従って飲み口ではもとより注出口での吸気を邪魔することなくスムーズな注出状態を得て、飲み口への内容液の注出状態や注出量を確認しながらの過不足ない思い通りの注出調節の基に容易に飲めるようにする。外面への結露対策としては、ボトル体の口部外側に装着される外栓部と、この外栓部からボトル体の口部内側に入って前記基部通路、注出口および飲み口を形成する中栓部とを有し、中栓部は、ボトル体の口部内側に沿う外筒と、前記基部通路、注出口および飲み口を有して前記外筒に嵌め合わされて相互間に断熱空間を形成した内筒と、の組み合わせとして対応でき、断熱空間によって保温、保冷のいずれにも好適なものとなった。
【０００６】
一方、これらの栓の二重構造が複雑な上、二重構造部の上部と下部とに個別のシール部材を必要とし、部品点数、組み立て工数が多く製品コストが増大するし、シール部材を外しての分解掃除では手間が係る。
【０００７】
そこで、本出願人は、図８に示すような構造が単純で表面への結露も防止でき、かつお手入れの不要なボトル栓も開発し、別途提案している（特願２００７−１３７６５号）。このお手入れ不要な構造は、図８に示すように飲み口ａを持った栓体ｂと、この栓体ｂの天板ｃの内側に断熱空間ｄを置いて当てがって超音波溶着などして気密状態で取り付けた蓋板ｅとで構成して、断熱空間ｄ内に露出する蓋板ｅの上面に結露するにしても流出することがなくお手入れ不要にし、かつ、栓体ｂとボトル体ｆとの間をシールするシール部材ｇを１つだけ設ければよいものとしている。
【０００８】
ところが、断熱空間ｄでの結露水の存在感は、ユーザによってはお手入れできることが望まれるし、お手入れできることに越したことはないと判断される。
【０００９】
このような視点から、本発明の目的は、部品点数が少なく、分解、組み立てが簡単で全部品のお手入れができる安価なボトル栓とこれを用いた片開きボトルを提供することを課題とする。
【課題を解決するための手段】
【００１０】
上記課題を解決するため、本発明のボトル栓は、ボトル体の口部に着脱できるように装着される栓体を有し、この栓体は、ボトル体の口部外側に着脱できるように装着される外栓部と、この外栓部の内側に直飲みできる飲み口を有して着脱できるように組み合わされ、ボトル体内には飲み口まわりのお手入れ用開放部を持った断熱空間形成部で臨んで通じ、かつ飲み口が外栓部上に突出する中栓部と、これら外栓部、中栓部、およびボトル本体の相互境界部にそれらいずれからも着脱できるように組み合わされて相互をシールし、少なくともこのシール状態で中栓部の前記お手入れ用開放部をシールするシール部材と、を備えたことを特徴としている。
【００１１】
このような構成では、ボトル体の口部に着脱できるように装着される栓体の部品点数が、外栓部、中栓部、シール部材の３つと少なく、分解、組み立ての工数も少なくなる。また、中栓部は外栓部の内側にその飲み口が外栓部上に突出するように位置する組み合わせを満足して、外栓部をボトル体の口部に装着し、この装着に際してシール部材が外栓部、中栓部、およびボトル体の口部の相互境界部に位置するようにしておくだけで、組立およびボトル体の口部への装着ができ、同時に、外栓部、中栓部、およびボトル体の口部の相互境界部をシールするのに併せ、中栓部に有する断熱空間形成部のお手入れ用開放部をシールすることができる。さらに、外栓部をボトル体の口部から取り外すことによって中栓部およびシール部材が少なくとも露出するので着脱可能な相互を分解できる。
【００１２】
断熱空間形成部は、飲み口周りの軸線方向に形成されて外周間をお手入れ用開放部とした二重壁が形成しているものとすることができる。
【００１３】
このような構成では、断熱空間形成部が飲み口周りでその軸線方向に重なった二重壁よりなり、それらの外周間がお手入れ用開放部をなして、外栓部とボトル体の口部との間をシールするシール部材直近に位置するので、外栓部、中栓部、およびボトル体の口部の相互境界部をシールするシール部材を共用してお手入れ用開放部をシールするのに好都合となる。
【００１４】
シール部材は、断熱空間形成部のお手入れ用開放部に着脱できるように装着されてそのお手入れ開放部をシールしているものとすることができる。
【００１５】
このような構成では、シール部材が中栓部の断熱空間形成部のお手入れ用開放部に着脱できるように装着されることで、お手入れ用開放部のシールを保証し、かつ、シール部材の取り外しによる断熱空間形成部のお手入れ用開放部を通じたお手入れを可能としながら、中栓部と外栓部との組み合わせによってシール部材が外栓部、中栓部、およびボトル体の口部の相互境界部をシールする位置に一義的に位置決めされて、人為的な位置決めが不要となる。
【００１６】
中栓部は、シール部材を介してボトル体の口部に上方から着座し、外栓部は、ボトル本体への装着によってシール部材を介し中栓部を前記着座状態に押圧するものとすることができる。
【００１７】
このような構成では、中栓部がシール部材を介してボトル体の口部に上方から着座した状態で、外栓部がボトル本体への装着によってシール部材を介して前記着座状態に押圧されることで、中栓部はボトル本体の口部との嵌め合いのない着座だけの簡単な組み合わせで、ボトル本体の口部と外栓部との間に、中栓部の断熱空間形成部が心材となって確固に挟み付けられるので、外栓部、中栓部、およびボトル体の口部の相互境界部のシールがより確実に達成され、組み立て、装着の状態が安定する。
【００１８】
断熱空間形成部は、飲み口と、シール部材による外栓部、中栓部、ボトル体の相互、およびお手入れ用開放部のシール域との間に、外栓部外からボトル体内への吸気路を有し、シール部材は、その吸気路の少なくとも外部開口部を有し、外栓部に設けた飲み口に対する開閉蓋が閉じられたときに、開閉蓋の一部によって閉じられるようにしているものとすることができる。
【００１９】
このような構成では、直飲み中の飲み口から外れた位置の吸気路を通じ外気をボトル体内に自然吸気することができるし、吸気路が外栓部、中栓部、ボトル体の相互、およびお手入れ用開放部のシール域よりも内側に位置するので、それらのシールを損なったりシール構造を複雑にすることはない。また、吸気路の少なくとも上端部を前記シール部材が弾性を有して形成することで、開閉蓋を閉じるのと同時にその一部によって無理なく確実に閉じられる。
【００２０】
本発明の片開きボトルは、ボトル体の口部に上記各場合のいずれかのボトル栓を装着してボトル本体をなし、ボトル栓にその前部寄りとした飲み口に対し後部寄りとなるヒンジ連結部にて開閉蓋を片開きできるように支持し、開閉蓋は閉じ状態にて飲み口をシール部材で閉じるようにしたことを特徴とする片開きボトル。
【００２１】
このような構成では、ボトル体の口部に装着したボトル栓の飲み口が前部寄りに位置しているので、ボトル体を前部と向かい合うように把持すれば、飲み口がボトル体の胴部よりも前部側、つまり自身の口側に寄って位置するので、直飲みするのにボトル体が邪魔にならない。また、片開きの開閉蓋は開かれるとボトル栓の後部寄りとなるヒンジ連結部側に立ち上がるので、前部寄りの飲み口からの直飲みを邪魔しないし、ボトル体を側方から把持した手の親指がボトル体の、片開きする開閉蓋を開き操作することになる前部に位置して、開き操作するのと同時にボトル体の前傾を伴いまたはそのまま飲み口を近付けて直飲みでき、前傾させても外栓部の天面は断熱空間形成部がシール部材で閉じられて断熱空間となっていることにより、保冷飲料による結露が生じない。さらに、断熱空間形成部内に結露水が生じた場合でも、前記分解によりボトル栓の全部品をお手入れできる。
【００２２】
本発明のそれ以上の特徴は、以下の具体的な説明および図面によって明らかになる。また、本発明の各特徴はそれ自体単独で、あるいは複合して種々な組み合わせで採用することができる。
【発明の効果】
【００２３】
本発明のボトル栓によれば、部品点数が３つと少なく安価に供せる上、分解、組み立ての工数も少なく簡単に組み立て、分解ができ、分解は、中栓部に形成したボトル栓外面での結露を防止する断熱空間形成部の開放も併せなされるので、断熱空間形成部に結露水が生じることがあっても、その部分を含め全部品につきくまなく洗浄できるなど簡単にかつ十分にお手入れすることができ、長期に清潔に保てる。また、中栓部が外栓部の内側にその飲み口が外栓部上に突出するように位置する組み合わせと、外栓部をボトル体の口部に装着し、その際シール部材が外栓部、中栓部、およびボトル体の口部の相互境界部に位置させるだけで、組立およびボトル体の口部への装着に加え、必要なシールを満足してシール不良などなく安全使用することができる。さらに、外栓部をボトル体の口部から取り外せば中栓部およびシール部材が少なくとも露出するので着脱可能な相互を容易に分解できる。
【００２４】
断熱空間形成部が飲み口周りで軸線方向での二重壁で、その外周間がお手入れ用開放部となって、外栓部とボトル体の口部との間をシールするシール部材直近に位置し、外栓部、中栓部、およびボトル体の口部の相互境界部をシールする１つのシール部材を共用してお手入れ用開放部をシールするのに、特に大きな断面域を必要とせずシール部材の材料費、成形費を含めコスト高にならない。
【００２５】
シール部材が、中栓部の断熱空間形成部のお手入れ用開放部に装着されて、お手入れ用開放部のシールを保証しながら、その取り外しにて断熱空間形成部のお手入れ用開放部を通じお手入れできるようにし、中栓部と外栓部との組み合わせによってシール部材が外栓部、中栓部、およびボトル体の口部間の必要シール位置に特別な手間なく的確に位置決めされ確実にシールすることができる。
【００２６】
中栓部が外栓部との組み合わせ上、シール部材を介して、着座しただけのボトル本体の口部とそれに装着した外栓部との間に、自身の断熱空間形成部が心材となって確固に挟み付けられて、外栓部、中栓部、およびボトル体の口部の相互境界部のシールがより確実に達成されるのに併せ。組み立て、装着の状態が安定する。
【００２７】
直飲みに際し、飲み口から外れた位置の吸気路を通じ外気をボトル体内に自然吸気するので、飲み口内での吸気時のような特別な吸気調整なく飲料をスムーズに流出させられるし、吸気路が必要シール域の内側にあってシールを損なったり複雑にしたりしないので、機能不全や、コスト上昇の原因にはならない。また、吸気路の少なくとも上端部が弾性を有するシール部材よりなり、開閉蓋を閉じるのと同時にその一部によって無理なく確実に閉じられる。
【００２８】
本発明の片開きボトルによれば、飲み口があるボトル体の前部側と向かい合うように把持すれば飲み口からの直飲みにボトル体が邪魔にならいし、片開きの開閉蓋は後部寄りとなるヒンジ連結部を中心に後方側に寄って開かれて前部寄りの飲み口からの直飲みを邪魔しないので、直飲みしやすいものとなる。また、ボトル体を側方から把持すると手の親指がボトル体の前部に位置して片開きの開閉蓋の前部自由端側での開き操作が簡単に行えるし、ボトル体の前傾を伴いまたはそのまま飲み口を近付けて連続または並行したほぼ一挙動にて楽に直飲みでき、天面は断熱空間形成部が閉じられて断熱空間となり保冷飲料による結露がないので前傾時に気になったり濡れたりする問題もない。さらに、断熱空間形成部内に結露水が生じた場合でも、他の部分も含め前記分解によりボトル栓の全部品をお手入れでき、長期に清潔に保てる。
【発明を実施するための最良の形態】
【００２９】
以下、本発明のボトル栓およびこれを用いた片開きボトルにつき図１〜図７に示す実施の形態に基づき詳細に説明する。しかし、以下の説明は本発明の具体例であって、特許請求の範囲の記載の内容を限定するものではない。
【００３０】
本実施の形態の片開きボトルは図１の例、図６の例に示すように、ステンレス製の内壁及び外壁の間に真空断熱空間２を有するボトル体としての真空二重容器１と、この真空二重容器１の口部１ａの外壁に形成された雄ねじ３に螺合する雌ねじ４を有し、シールパッキン１６を介して真空二重容器１に装着されたボトル栓である合成樹脂製の栓体５とによりボトル本体２０をなしている。このボトル本体２０にはその栓体５が形成する上端部の片側、具体的には背面側に回動軸６によるヒンジ連結部１０を中心にボトル本体２０の上端部に被さって栓体５に有する直飲み用の飲み口１４を閉じ、また開く開閉動作をする片開き蓋７が設けられている。しかし、ボトル本体２０は断熱性の有無、金属製、非金属製、飲み口１４の構造など自由に設計でき、具体的な構造は特に問わない。また、片開き蓋７の材料も特に問うものではない。片開き蓋７とボトル本体２０との間には片開き蓋７を閉じ状態にロックし、またそのロックを解除するロック機構８が設けられている。
【００３１】
図示例の上記真空二重容器１は、片手持ちできる程度にスリム化した胴部１ｂを有し、この胴部１ｂの上部は、口部１ａに装着された栓体５とほぼ同径に形成されている。真空二重容器１の胴部１ｂや栓体５部を片手持ちして、片手持ちしている手の指によるロック機構８の操作や、これに伴う片開き蓋７の開き操作や、片開き蓋７の開放後に飲み口１４による直飲み動作を行い易い形状になっている。しかし、図示例の片開き蓋７は回動軸６まわりに装着した蔓巻きタイプのばね１３１により開き方向に付勢してある。従って、片開き蓋７のロック機構８による閉じ位置へのロックは蔓巻きばね１３１の付勢に抗して行われ、このロックが解除されると片開き蓋７は蔓巻きばね１３１の付勢により自動的に開かれる。このような開き方向への付勢はボトル本体２０の飲み口１４まわりに設けた弾性体や、片開き蓋７に設けた飲み口１４をシールする弾性を有したシールパッキン２６などによって代替することもできる。シールパッキン２６は開閉蓋７の天板７ａの裏面にい体成形した筒壁７ｂ内にボス部２６ａを圧入して着脱できるように装着してあり、シールパッキン２６や開閉蓋７の丸洗いを可能にしている。
【００３２】
ここで、本実施の形態での栓体５は図１の例、図６の例に示すように、ボトル体１の口部１ａに前記雄ねじ３、雌ねじ４などによって着脱できるように装着される栓体５を有している。しかし、この着脱形式は部分ねじ構造、あるいは弾性を有してあるいは弾性を有しないで係脱し合う係合構造など、種々な方式を採用することができる。この栓体５は、ボトル体１の口部１ａ外側に前記ねじ構造などにて着脱できるように装着される部分となる外栓部２１と、この外栓部２１の内側に直飲みできる飲み口１４を有して着脱できるように組み合わされ、ボトル体１内には飲み口１４まわりのお手入れ用開放部２２ａを持った断熱空間形成部２２で臨んで通じ、かつ飲み口１４が外栓部２１上にその天板２１ｂの透孔２１ｄを通じ突出する中栓部２３と、これら外栓部２１、中栓部２３、およびボトル本体１の相互境界部にそれらいずれからも着脱できるように組み合わされて相互をシールし、少なくともこのシール状態で中栓部２３の前記お手入れ用開放部２２ａをシールするシール部材としての前記シールパッキン１６と、を備えている。
【００３３】
これにより、図１の例のボトル栓５および図６の例のボトル栓５のは、それぞれ、図２、図７に分解して示すように、ボトル体１の口部１ａに着脱できるように装着される栓体５の部品点数が、外栓部２１、中栓部２３、シールパッキン１６の３つと少なく、当然のに分解、組み立ての工数も同様に少なくなる。従って、安価に供せる上、簡単に組み立て、分解ができ、分解は、中栓部２３に形成したボトル栓５外面での結露を防止する断熱空間形成部２２の開放も併せなされるので、断熱空間形成部２２に結露水が生じることがあっても、その部分を含め全部品につきくまなく洗浄できるなど簡単にかつ十分にお手入れすることができ、長期に清潔に保てる。また、断熱空間形成部２２による断熱作用はボトル体１の保冷、保温効果も高める。
【００３４】
また、中栓部２３は外栓部２１の内側にその飲み口１４が図１、図３、および図６に示すように外栓部２１上に突出するように位置する組み合わせを満足して、外栓部２１をボトル体１の口部１ａに装着し、この装着に際してシールパッキン１６が外栓部２１、中栓部２３、およびボトル体１の口部１ａの相互境界部に、例えば図１、図６に示すように位置するようにしておくだけで、組立およびボトル体１の口部１ａへの装着ができ、同時に、外栓部２１、中栓部２３、およびボトル体１の口部１ａの相互境界部をシールするのに併せ、中栓部２３に有する断熱空間形成部２２のお手入れ用開放部２２ａをシールすることができる。さらに、外栓部２１をボトル体１の口部１ａから取り外すことによって中栓部２１およびシールパッキン１６が少なくとも露出するので着脱可能な相互を分解できる。従って、中栓部２３が外栓部２１の内側にその飲み口１４が外栓部２１上に突出するように位置する組み合わせと、外栓部２１をボトル体１の口部１ａに装着し、その際シールパッキン１６が外栓部２１、中栓部、２３およびボトル体１の口部１ａの相互境界部に位置させるだけで、組立およびボトル体１の口部１ａへの装着に加え、必要なシールを満足してシール不良などなく安全使用することができる。さらに、外栓部２１をボトル体１の口部１ａから取り外せば中栓部２３およびシールパッキン１６が少なくとも露出して着脱可能な相互を容易に分解できる。
【００３５】
また、断熱空間形成部２２は、図１、図２に示す例、図６、図７に示す例で共通して、図１、図２に示す例の飲み口１４の一部断面した図４で代表して示すように、飲み口１４周りの軸線方向に形成されて外周間をお手入れ用開放部２２ａとした二重壁２２ｂ、２２ｃが形成するようにしている。このように、断熱空間形成部２２が飲み口１４周りでその軸線方向に重なった二重壁２２ｂ、２２ｃよりなると、飲み口１４とと共に容易に一体成形されて、それら二重壁２２ｂ、２２ｃの外周間が図示するようにお手入れ用開放部２２ａをなし、しかも、このお手入れ用開放部２２ａが図１、図６に示すように、外栓部２１とボトル体１の口部１ａとの間をシールするシールパッキン１６の直近に位置するので、外栓部２１、中栓部２３、およびボトル体１の口部１ａの相互境界部をシールするシールパッキン１６を共用してお手入れ用開放２２ａをシールするのに好都合となる。つまり、断熱空間形成部２２が飲み口１４周りで軸線方向での二重壁２２ｂ、２２ｃで、その外周間がお手入れ用開放部２２ａとなって、外栓部２１とボトル体の口部との間をシールするシール部材直近に位置し、外栓部、中栓部、およびボトル体１の口部１ａの相互境界部をシールする１つのシールパッキン１６を共用してお手入れ用開放部２２ａをシールするのに、特に大きな断面域を必要とせずシールパッキン１６の材料費、成形費を含めコスト高にならない。
【００３６】
しかも、このシールパッキン１６は、図１、図２に示す例、図６、図７に示す例で共通して、図１、図２に示す例の飲み口１４の一部断面した図４で代表して示すように、断熱空間形成部２２のお手入れ用開放部２２に着脱できるように装着されてそのお手入れ開放部２２ａをシールするようにしている。これにより、シールパッキン１６が中栓部２３の断熱空間形成部２２のお手入れ用開放部２２ａに着脱できるように装着されることで、お手入れ用開放部２２のシールを保証し、かつ、シールパッキン１６の図２、図７に示し、図５で代表して示す取り外しにより開放する断熱空間形成部２２のお手入れ用開放部２２ａを通じたお手入れを可能としながら、中栓部２３と外栓部２１との組み合わせによってシールパッキン１６が外栓部２１、中栓部、およびボトル体１の口部１ａの相互境界部をシールする位置に一義的に位置決めされて、人為的な位置決めが不要となる。つまり、シールパッキン１６が、中栓部２３の断熱空間形成部２２のお手入れ用開放部２２ａに装着されて、お手入れ用開放部２２ａのシールを保証しながら、その取り外しにて断熱空間形成部２２のお手入れ用開放２２ａ部を通じ洗浄や拭き取りといったお手入れできるようにし、中栓部２３と外栓部２１との組み合わせによってシールパッキン１６が外栓部２１、中栓部２３、およびボトル体１の口部１ａ間の必要シール位置に特別な手間なく的確に位置決めされ確実にシールすることができる。
【００３７】
さらに、中栓部２１は、図１、図２に示す例、図６、図７に示す例で共通して、シールパッキン１６を介してボトル体１の口部１ａに上方から着座し、外栓部２１は、ボトル本体１への装着によってシールをパッキン１６を介し中栓部２３を前記着座状態に押圧するものとしてある。このように、中栓部２３がシールパッキン１６を介してボトル体１の口部１ａに上方から着座した状態で、外栓部２１がボトル本体１への装着によってシールパッキン１６を介して前記着座状態に押圧されることで、中栓部２３はボトル本体１の口部１ａとの嵌め合いのない着座だけの簡単な組み合わせで、ボトル本体１の口部１ａと外栓部２１との間に、中栓部２３の断熱空間形成部２２が心材となって確固に挟み付けられるので、外栓部２１、中栓部２３、およびボトル体１の口部１ａの相互境界部のシールがより確実に達成される。従って、中栓部２３が外栓部２１との組み合わせ上、シールパッキン１６を介して、着座しただけのボトル本体１の口部１ａとそれに装着した外栓部２１との間に、自身の断熱空間形成部２２が心材となって確固に挟み付けられて、外栓部２１、中栓部２３、およびボトル体１の口部１ａの相互境界部のシールがより確実に達成されるのに併せ。組み立て、装着の状態が安定する。
【００３８】
しかも、中栓部２３の口部１ａへ着座してのシール保証は、中栓部２３の口部１ａ内周への嵌め合いを不要として、嵌め合いにより口部１ａを塞がない分だけボトル体１の実容量を高められる。
【００３９】
さらに具体的には、二重壁２２ｂ、２２ｃの径は一方が他方より小さく、径の大きな例えば上側の壁２２ｂの外周のシールパッキン１６の溝部１６ａが外方から弾性的に被さって装着され、この装着部分１６ｂが壁２２ｂを心材として外栓部２１とボトル体１の口部１ａとの間で挟み付けられる部分として十分なシール圧を確保しながら、二重壁２２ｂ、２２ｃ共に挟み付けて破損の原因となるのを防止している。径の小さな例えば下側の壁２２ｃは単純に外周にシールパッキン１６のＬ型断面で内向きのシールリップ１６ｃを側方および外面、具体的には下面から弾性的に当接してシールするようにしてあり、シールパッキン１６の断面形状の単純化を図り成形性を高めている。シールパッキン１６は、また、前記シールリップの側面から外周に延びて前記装着部分１６ｂとの間に隙間１６ｄを有した補助リップ１６ｅを一体成形することで、前記外栓部２１とボトル体１の口部１ａとの間の挟み付け部に、これら隙間１６ｄ、補助リップ１６ｅが介在することで、中空部などの複雑な断面部を持たずに、補助リップ１６ｅの隙間１６ｄを利用した柔軟性を前記挟み付け部に付与して、外栓部とボトル体１の口部１ａとの間の成形誤差、組み立て誤差を吸収したより確実で無理のないシールが達成されるようにしてある。
【００４０】
しかも、補助リップ１６ｅ、装着部分１６ｂに対向するボトル体１の口部１ａの上端は、真空二重容器を構成するステンレス製の内筒と外筒との口部同士をＴＬＧ溶接などで接合した二重壁端部としてあり、前記挟み付けによる補助リップ１６ｅおよび装着部１６ｂ下面への無理のない食い込みを助長してシール性を高め、外栓部２１の装着部分１６ｂとの対向部は鉤型面２１ａとして装着部分１６ｂの外周を受けながら上方から口部１ａの二重壁幅をその内外に超える面域で圧着して、中栓部２３との間のシールはもとより、その圧着によるボトル体１の口部１ａの補助リップ１６ｅおよび装着部分１６ｂへの食い込みを伴う中栓部２３および口部１ａ間のシール性を高められる。また、装着部分１６ｂは上部の壁２２ｂの外周に少しの隙間１６ｆを残すように装着されて、柔軟変形部をなすことで、外栓部２１の鉤型面２１ａ内周との初期嵌合を軽減ないしは隙間を持たせながら、鉤型面２１ａで装着部分１６ｂを上方から圧着して行くときの装着部分１６ｂの外形の広がりによって鉤型面２１ａへの密着度を高めて、外栓部２１と中栓部２３との間のシール性をさらに高められるようになっている。また、補助リップ１６ｅはＬ型のリップ１６ｃが下側の壁２２ｃの外周から外方に逃げる変形を抑えるので、簡単な当接関係によって、内部空気の外部空気との対流などによる入れ替わりが損なわれる程度のシール不良は回避できる。保冷時の内圧低下などでそれが損なわれるような場合はそれに打ち勝つ当接状態、嵌合状態を確保する構造とすればよい。図４に示す例ではＬ型のリップ１６ｃには、その下側の壁２２ｃに圧接するリップ片１６ｃ１と補助リップ１６ｅ形成部との間に薄肉部１６ｇを設けて弾性を弱め、リップ片１６ｃ１が壁２２ｃの下面に馴染みよく圧接して相互の対向面間に隙間ができにくくシール性が高まる工夫をしている。
【００４１】
また、図１、図２に示す例、図６、図７に示す例で共通して、さらに、断熱空間形成部２２と外栓部２１の天板２１ｂとの間にも相互間のシールパッキン１６によるシール状態にて密閉空間３１が形成されるようにしてあり、この密閉空間３１および断熱空間形成部２２によって二重の断熱構造をなして、保冷飲料による外栓部２１の天板２１ｃの外面への結露をより確実に防止するのに併せ、保冷、保温効果もさらに高められる。これら、結露防止、保冷、保温のためには、飲み口１４を除くできるだけ多くの面域にかつ抜けなく、断熱空間形成部２２や密閉空間３１を設けるのが好適である。このため、図示例では成形によういな直立型の飲み口１４を直飲みしやすくするために断熱空間形成部２２の前部一杯まで寄せてあって、前部側で断熱空間が形成されない構成となっているのを、断熱空間が飲み口１４の周りにドーナツ型に連続するようにすることができる。
【００４２】
以上のようなボトル栓２０を、図１の例、図２の例のようにボトル体１の口部１ａに装着した片開きボトル２０は、ボトル体１の口部１ａに装着したボトル栓５の飲み口１４が前部寄りに位置しているので、ボトル体１を前部と向かい合うように把持すれば、飲み口１４がボトル体１の胴部１ｂよりも前部側、つまり自身の口側に寄って位置するので、直飲みするのにボトル体１が邪魔にならない。従って、用途に応じた容量を確保して、しかも、ボトル体１の径に左右されないで直飲みしやすくなる。また、片開きの開閉蓋７は開かれるとボトル栓５の後部寄りとなるヒンジ連結部１０側に立ち上がるので、前部寄りの飲み口１４からの直飲みを邪魔しないし、ボトル体１を側方から把持した手の親指がボトル体１の、ロック機構８を有して開閉蓋７を開き操作することになる前部に位置して、開き操作するのと同時にボトル体１の前傾を伴いまたはそのまま飲み口１４を自身の口に近付けて直飲みでき、前傾させても外栓部２１の天面は断熱空間形成部２２および密閉空間３１が断熱空間となっていることにより、保冷飲料による結露が生じないし、保冷、保温効果の高いものとなる。さらに、断熱空間形成部２２内に結露水が生じた場合でも、前記分解によりボトル栓５の全部品を洗浄や拭き取りなどのお手入れができ、長期に清潔に保てる。
【００４３】
ロック機構８は図１、図６に示すように、開閉蓋７と係合して閉じ状態に係止するフック部を持ったロック部材３２とこのロック部材３２の開閉蓋７との係合を外して閉じ位置へのロックを解除するロック解除片３３を同軸３４にて枢支し、外栓部２１とロック部材３２との間に働かせたばね３５により、ロック部材３２をロック位置に、ロック解除片３３をロック解除操作開始位置に安定させ、開閉蓋７が閉じられるとロック部材３２がばね３５に抗してロック解除片３３との間に設けた遊びを利用して単独に一旦ロック解除操作片３３の側に押し退けられるように退避し、開閉蓋７をフック部に受け入れて後、ばね３５の付勢によって復帰させられて開閉蓋７に係合して自動ロックするようになっている。一方、ロック解除片３３は押動するとロック部材３２をばね３５に抗して退避させ、開閉蓋７との係合を外してロックを解除するので開閉蓋７がばね１３１の付勢により自動的に開かれるようにしている。なお、ロック解除片３３はロック部材３２上で、外栓部２１との間でロック解除操作を邪魔される位置と邪魔されない位置とに移動できるようにし、解除操作を邪魔される位置に自動復帰するようにして不用意なロック解除操作を防止するようにしてある。
【００４４】
図６、図７に示す例では、さらに、断熱空間形成部２２は、飲み口１４と、シールパッキン１６による外栓部２１、中栓部２３、ボトル体１の相互、およびお手入れ用開放部２２ａのシール域と、の間に、外栓部２３外からボトル体１内への吸気路４１を有し、シールパッキン１６は、その吸気路４１の少なくとも外部開口部４１ａを有し、外栓部２１に設けた飲み口１４に対する開閉蓋７が閉じられたときに、開閉蓋７の一部、具体的には開閉蓋７の一部に突片状に一体成形するなどした閉じ部４２によって閉じられるようにしている。これにより、直飲み中の飲み口１４から外れた位置の吸気路４１を通じ外気をボトル体１内に自然吸気することができるし、吸気路４１が外栓部２１、中栓部２３、ボトル体１の相互、およびお手入用開放部２２ａのシール域よりも内側に位置するので、それらのシールを損なったりシール構造を複雑にすることはない。また、吸気路４１の少なくとも外部開口部４１ａをシールパッキン１６が弾性を有して形成することで、開閉蓋７を閉じるのと同時にその一部である閉じ部４２によって無理なく確実に閉じられる。この結果、直飲みに際し、飲み口１４から外れた位置の吸気路４１を通じ外気をボトル体１内に自然吸気するので、飲み口１４内での吸気時のような特別な吸気調整なく飲料をスムーズに流出させられるし、吸気路４１が必要シール域の内側にあってシールを損なったりシール構造を複雑にしたりしないので、機能不全や、コスト上昇の原因にはならない。また、吸気路４１の少なくとも外部開口部４１ａが弾性を有するシールパッキン１６よりなり、開閉蓋７を閉じるのと同時にその一部である閉じ部４２によって無理なく確実に閉じられる。
【００４５】
なお、図示例では吸気路４１は、二重壁２２ｂ、２２ｃに一体成形して壁２２ｃにてボトル体１内に開口し、外栓部２１上にその透孔２１ｃを通じ突出するようにしてあり、この吸気路４１の壁２２ｂからの突出部にシールパッキン１６に一体に形成した筒状カバーブ１６ｈを上方から被せて前記外部開口部４１ａを形成するようにしてある。そしてこの筒状カバーブ１６ｈが外栓部２１の天板２１ｂの透孔２１ｃを貫通する部分には透孔２１ｃの開口縁に下方より受けられる沈み止めリブ１６ｉを有し、外部開口部４１ａが開閉蓋７の閉じ部４２によって閉じられるときの下方への逃げを防止し、吸気路４１の上端との成形不良、組み立て不良による隙間があってもシール圧を確保できるようにしている。
【産業上の利用可能性】
【００４６】
本発明はボトル栓、片開きボトルに実用して、栓外面での結露を防止する断熱構造を持ちながら、部品点数が少なく安価で、組み立て、分解、お手入れしやいものとすることができる。
【図面の簡単な説明】
【００４７】
【図１】本発明の実施形態のボトル栓とそれを用いた片開きボトルの１つの例を示す要部の断面図である。
【図２】同ボトル栓の分解断面図である。
【図３】同ボトル栓の開閉蓋を開いた状態の斜視図である。
【図４】同ボトル栓の中栓部の断熱空間形成部を断面して見た斜視図である。
【図５】中栓部とシールパッキンとの分解斜視図である。
【図６】本発明の実施形態のボトル栓とそれを用いた片開きボトルの別の例を示す要部の断面図である。
【図７】同ボトル栓の分解断面図である。
【図８】従来のボトル栓とそれを用いた片開きボトルの例を示す要部の断面図である。
【符号の説明】
【００４８】
１  ボトル体
１ａ  口部
５  栓体
２１  外栓部
２３  中栓部
７  片開き蓋
８  ロック機構
１６  シールパッキン
１０  ヒンジ連結部
１４  飲み口
２０  ボトル本体
２２  断熱空間形成部
２２ａ  お手入れ用開放部
２２ｂ、２２ｃ  二重壁
４１  吸気路
４１ａ  外部開口部
１３１  ばね
【図１】
0005024037.tif 000002
【図２】
0005024037.tif 000003
【図３】
0005024037.tif 000004
【図４】
0005024037.tif 000005
【図５】
0005024037.tif 000006
【図６】
0005024037.tif 000007
【図７】
0005024037.tif 000008
【図８】
0005024037.tif 000009